(57)【要約】【課題】  小型であって高画質な光学系を提供することである。【解決手段】  光学系Ｌ０は正の屈折力の第１レンズ群Ｌ１、第２レンズ群Ｌ２からなる。第１レンズ群Ｌ１は、物体側から像側へ順に、正レンズＬ１１、正レンズＬ１２、正レンズＬ１３、像側に凹面を向けたメニスカス形状の負レンズＬ１４、絞りＳＰ、少なくとも１枚のレンズを有する。第２レンズ群Ｌ２は正レンズと負レンズを有する。無限遠から近距離へのフォーカシングに際し、第１レンズ群Ｌ１が物体側に移動することで第１レンズ群Ｌ１と第２レンズ群Ｌ２の光軸上の距離は変化する。光学系Ｌ０は所定の条件式を満足する。【選択図】  図１
2019152682.tif 000002
【特許請求の範囲】
【請求項１】
物体側から像側へ順に配置された、正の屈折力の第１レンズ群、第２レンズ群からなる光学系であって、
前記第１レンズ群は、物体側から像側へ順に、正レンズＬ１１、正レンズＬ１２、正レンズＬ１３、像側に凹面を向けたメニスカス形状の負レンズＬ１４、絞り、少なくとも１枚のレンズを有し、
前記第２レンズ群は正レンズと負レンズを有し、
無限遠から近距離へのフォーカシングに際し、前記第１レンズ群が物体側に移動することで前記第１レンズ群と前記第２レンズ群の光軸上の距離は変化し、
前記第２レンズ群の最も物体側の面から最も像側の面までの光軸上の距離をＤ２、前記光学系のバックフォーカスをＢＦとしたとき、
１．１＜Ｄ２／ＢＦ＜２．５
なる条件式を満足することを特徴とする光学系。
【請求項２】
前記正レンズＬ１１の焦点距離をＦ１１、前記光学系の焦点距離をＦとしたとき、
２．８＜Ｆ１１／Ｆ＜５．１
なる条件式を満足することを特徴とする請求項１に記載の光学系。
【請求項３】
前記正レンズＬ１２の焦点距離をＦ１２、前記光学系の焦点距離をＦとしたとき、
１．３＜Ｆ１２／Ｆ＜２．９
なる条件式を満足することを特徴とする請求項１または２に記載の光学系。
【請求項４】
前記正レンズＬ１３の焦点距離をＦ１３、前記光学系の焦点距離をＦとしたとき、
０．８＜Ｆ１３／Ｆ＜１．７
なる条件式を満足することを特徴とする請求項１乃至３のいずれか一項に記載の光学系。
【請求項５】
前記負レンズＬ１４の焦点距離をＦ１４、前記光学系の焦点距離をＦとしたとき、
０．５０＜｜Ｆ１４｜／Ｆ＜０．９０
なる条件式を満足することを特徴とする請求項１乃至４のいずれか一項に記載の光学系。
【請求項６】
前記第２レンズ群に含まれる正レンズのうち最も屈折率の大きな正レンズの屈折率をＮｐとしたとき、
１．７５＜Ｎｐ
なる条件式を満足することを特徴とする請求項１乃至５のいずれか一項に記載の光学系。
【請求項７】
前記第２レンズ群に含まれる正レンズのうち最も屈折力の大きな正レンズの焦点距離をＦ２ｐｍとしたとき、
０．３２＜Ｆ２ｐｍ／Ｆ＜０．５１
なる条件式を満足することを特徴とする請求項１乃至６のいずれか一項に記載の光学系。
【請求項８】
前記第２レンズ群に含まれる負レンズのうち最も屈折率の小さな負レンズの屈折率をＮｎとしたとき、
Ｎｎ＜１．６５
なる条件式を満足することを特徴とする請求項１乃至７のいずれか一項に記載の光学系。
【請求項９】
前記第２レンズ群に含まれる負レンズのうち負の屈折力が最も大きな負レンズの焦点距離をＦ２ｎｍとしたとき、
０．４５＜｜Ｆ２ｎｍ｜／Ｆ＜０．８０
なる条件式を満足することを特徴とする請求項１乃至８のいずれか一項に記載の光学系。
【請求項１０】
前記第１レンズ群は、前記絞りよりも物体側のレンズ面に非球面を有することを特徴とする請求項１乃至９のいずれか一項に記載の光学系。
【請求項１１】
前記第１レンズ群は、前記絞りの像側に隣接して、物体側に凹面を向けた負レンズＬ１５を有することを特徴とする請求項１乃至１０のいずれか一項に記載の光学系。
【請求項１２】
前記第１レンズ群は、前記負レンズＬ１５の像側に接合され像側に凸面を向けた正レンズＬ１６を有し、
前記負レンズＬ１５と前記正レンズＬ１６を含む第１の接合レンズは全体として正の屈折力を有することを特徴とする請求項１１に記載の光学系。
【請求項１３】
前記第１レンズ群は、前記接合レンズの像側に、負レンズと正レンズを接合した第２の接合レンズを有することを特徴とする請求項１２に記載の光学系。
【請求項１４】
１．５＜Ｄ２／ＢＦ＜２．４
なる条件式を満足することを特徴とする請求項１乃至１３のいずれか一項に記載の光学系。
【請求項１５】
請求項１乃至１４のいずれか一項に記載された光学系と、前記光学系によって形成された像を受光する撮像素子を有することを特徴とする撮像装置。
【発明の詳細な説明】
【技術分野】
【０００１】
本発明は、光学系に関し、デジタルビデオカメラ、デジタルスチルカメラ、放送用カメラ、銀塩フィルム用カメラ、監視用カメラ等に好適なものである。
【背景技術】
【０００２】
開口絞りに対して略対称にレンズを配置したガウスタイプの光学系では、コマ収差、ディストーション、倍率色収差等の光学系の非対称性に起因して発生する収差を低減させられることが知られている。
【０００３】
特許文献１には、物体側から像側へ順に配置された正の屈折力の第１レンズ群と、正の屈折力の第２レンズ群から成るガウスタイプの大口径中望遠の光学系が開示されている。
【先行技術文献】
【特許文献】
【０００４】
【特許文献１】特開２０１４−８１４２９号公報
【発明の概要】
【発明が解決しようとする課題】
【０００５】
引用文献１に開示された光学系に関しては、さらなる高画質化が求められる。
【０００６】
大口径中望遠の光学系では、特に軸上色収差を良好に補正することが重要である。軸上色収差を良好に補正するためには、正レンズに蛍石などの異常部分分散性を有する低分散な光学材料を用いれば良いが、このような特徴を持つ光学材料は一般に屈折率が低いため、球面収差や像面湾曲などの諸収差の補正不足を招き得る。
【０００７】
これを補正するためには、正レンズを複数に分割することで各正レンズの屈折力を弱めることが有効であるが、この場合レンズ枚数が増加して光学系が大型化してしまう。
【０００８】
ゆえに、光学系の小型化と高画質化をバランス良く達成できる構成を見出す必要がある。
【０００９】
本発明の目的は、小型であって高画質な光学系を提供することである。
【課題を解決するための手段】
【００１０】
本発明の光学系は、物体側から像側へ順に配置された、正の屈折力の第１レンズ群、第２レンズ群からなる光学系であって、前記第１レンズ群は、物体側から像側へ順に、正レンズＬ１１、正レンズＬ１２、正レンズＬ１３、像側に凹面を向けたメニスカス形状の負レンズＬ１４、絞り、少なくとも１枚のレンズを有し、前記第２レンズ群は正レンズと負レンズを有し、無限遠から近距離へのフォーカシングに際し、前記第１レンズ群が物体側に移動することで前記第１レンズ群と前記第２レンズ群の光軸上の距離は変化し、前記第２レンズ群の最も物体側の面から最も像側の面までの光軸上の距離をＤ２、前記光学系のバックフォーカスをＢＦとしたとき、
１．１＜Ｄ２／ＢＦ＜２．５
なる条件式を満足することを特徴とする。
【発明の効果】
【００１１】
本発明によれば、小型であって高画質な光学系を実現することができる。
【図面の簡単な説明】
【００１２】
【図１】実施例１の光学系の断面図である。
【図２】実施例１の光学系の収差図である。
【図３】実施例２の光学系の断面図である。
【図４】実施例２の光学系の収差図である。
【図５】実施例３の光学系の断面図である。
【図６】実施例３の光学系の収差図である。
【図７】実施例４の光学系の断面図である。
【図８】実施例４の光学系の収差図である。
【図９】実施例５の光学系の断面図である。
【図１０】実施例５の光学系の収差図である。
【図１１】実施例６の光学系の断面図である。
【図１２】実施例６の光学系の収差図である。
【図１３】撮像装置の概略図である。
【発明を実施するための形態】
【００１３】
以下、本発明の光学系およびそれを有する撮像装置の実施例について説明する。各実施例の光学系はデジタルスチルカメラ、デジタルビデオカメラ、放送用カメラ、銀塩フィルムカメラ、監視カメラなどの撮像装置に用いられる撮像光学系である。
【００１４】
図１，３，５，７，９，１１は、それぞれ無限遠に合焦している場合の実施例１から６の光学系Ｌ０の断面図である。各断面図に示したＳＰは絞りである。ＩＰは像面であり、各実施例の光学系Ｌ０をビデオカメラやデジタルカメラの撮像光学系として用いる際には、ＣＣＤセンサやＣＭＯＳセンサ等の撮像素子が像面ＩＰに配置される。各実施例の光学系Ｌ０を銀塩フィルムカメラの撮像光学系として用いる際には、フィルムが像面ＩＰに配置される。
【００１５】
レンズ断面図において、左側が物体側で、右側が像側である。また、各レンズ断面図に示す矢印は、無限遠から近距離へのフォーカシングに際してのレンズ群の移動方向を示している。
【００１６】
図２，４，６，８，１０，１２は、それぞれ実施例１から６の光学系Ｌ０の無限遠合焦時の収差図である。各収差図においてＦｎｏはＦナンバー、ωは半画角（°）である。球面収差図において、ｄ−ｌｉｎｅ（実線）はｄ線（波長５８７．６ｎｍ）、ｇ−ｌｉｎｅ（１点鎖線）はｇ線（波長４３５．８ｎｍ）である。非点収差図においてΔＳ（実線）はｄ線におけるサジタル像面、ΔＭ（破線）はｄ線におけるメリディオナル像面である。歪曲収差はｄ線について示している。倍率色収差図はｇ線について示している。
【００１７】
各実施例の光学系Ｌ０は、物体側から像側へ順に配置された正の屈折力の第１レンズ群Ｌ１、正または負の屈折力の第２レンズ群Ｌ２からなる。
【００１８】
各実施例の光学系Ｌ０において、第１レンズ群Ｌ１は物体側から像側へ順に、正レンズＬ１１、正レンズＬ１２、正レンズＬ１３、像面側に凹面を向けたメニスカス形状の負レンズＬ１４、絞りＳＰ、少なくとも１枚のレンズを有する。
【００１９】
各実施例の光学系Ｌ０において、第２レンズ群Ｌ２は少なくとも１枚の正レンズと少なくとも１枚の負レンズを有する。
【００２０】
また、無限遠物体から近距離物体へのフォーカシングに際し、第１レンズ群Ｌ１は物体側に移動する。なお、第２レンズ群Ｌ２はフォーカシングに際して不動である。すなわち、フォーカシングに際して第１レンズ群Ｌ１と第２レンズ群Ｌ２の光軸上の間隔は変化する。
【００２１】
各実施例の光学系における第１レンズ群Ｌ１の構成について述べる。大口径中望遠の光学系を小型化するためには、Ｆナンバーを決定する光束（Ｆナンバー光束）を第１レンズ群Ｌ１において効果的に収斂させる必要がある。このため、第１レンズ群Ｌ１の絞りＳＰよりも物体側に正レンズを３枚配置している。
【００２２】
正レンズの枚数が２枚以下である場合、各正レンズの屈折力が強くなってしまう結果、球面収差や色収差等の諸収差を良好に補正することが困難となる。
【００２３】
さらに、より高画質化するためには、収斂光に負レンズによる屈折効果を作用させて諸収差を効果的に補正する必要がある。そのため、像面側に凹面を向けたメニスカス形状の負レンズＬ１４を絞りＳＰより物体側であって３枚の正レンズより像側に配置している。
【００２４】
このように像面側に凹面を向けたメニスカス形状の負レンズＬ１４を配置することで、正レンズにより発生した諸収差を効果的に補正している。さらに、絞りＳＰの像側に少なくとも１枚のレンズを配置することでＦナンバー光束をより効果的に収斂させている。
【００２５】
次に、各実施例の光学系における第２レンズ群Ｌ２の構成について述べる。各実施例の光学系Ｌ０において第２レンズ群Ｌ２には、第１レンズ群Ｌ１で補正し切れなかった諸収差を補正する役割がある。第２レンズ群を像面ＩＰに近接した位置に配置することで、像面湾曲等の諸収差を効果的に補正することができる。このため、各実施例において第２レンズ群Ｌ２は後述する条件式を満足するように構成されている。また、色収差を含めた諸収差を良好に補正するために、第２レンズ群Ｌ２は正レンズと負レンズを少なくとも１枚ずつ含むように構成されている。
【００２６】
次に、各実施例の光学系Ｌ０におけるフォーカシングに伴うレンズ群の移動について述べる。前述のように、各実施例の光学系Ｌ０では、無限遠から近距離への合焦に際し、第１レンズ群Ｌ１を物体側に移動させ、第２レンズ群を不動としている。これによって、フォーカス機構が簡易に成り光学系Ｌ０を備えるレンズ装置を小型に構成することができる。
【００２７】
各実施例の光学系Ｌ０は、以下の条件式を満足する。
１．１＜Ｄ２／ＢＦ＜２．５  （１）
【００２８】
ここで、Ｄ２は第２レンズ群Ｌ２の最も物体側の面から最も像側の面までの光軸上の距離である。ＢＦは光学系Ｌ０のバックフォーカスである。
【００２９】
条件式（１）は光学系Ｌ０の小型化と高画質化を両立させるためのものである。Ｄ２／ＢＦの値が条件式（１）の上限値を上回る程にＤ２が大きくなると、光学系Ｌ０の全長が長くなりすぎ、光学系Ｌ０を小型に構成することが困難となる。Ｄ２／ＢＦの値が条件式（１）の下限値を下回る程にＤ２が小さくなると、諸収差を良好に補正するために必要なレンズを第２レンズ群Ｌ２内に適切に配置することが困難となり、光学系Ｌ０を高画質化することが困難となる。
【００３０】
条件式（１）の数値範囲は、以下の条件式（１ａ）のように設定することが好ましい。
１．３＜Ｄ２／ＢＦ＜２．４  （１ａ）
【００３１】
条件式（１）の数値範囲は、以下の条件式（１ｂ）のように設定することがより好ましい。
１．６＜Ｄ２／ＢＦ＜２．３  （１ｂ）
【００３２】
各実施例では以上の構成により、小型かつ高画質の撮像光学系を実現している。
【００３３】
次に、各実施例の光学系Ｌ０におけるより好ましい構成について述べる。各実施例の光学系Ｌ０は、以下の条件式（２）乃至（９）のうち１つ以上を満足することが好ましい。
２．８＜Ｆ１１／Ｆ＜５．１  （２）
１．３＜Ｆ１２／Ｆ＜２．９  （３）
０．８＜Ｆ１３／Ｆ＜１．７  （４）
０．５０＜｜Ｆ１４｜／Ｆ＜０．９０  （５）
１．７５＜Ｎｐ  （６）
０．３２＜Ｆ２ｐｍ／Ｆ＜０．５１  （７）
Ｎｎ＜１．６５  （８）
０．４５＜｜Ｆ２ｎｍ｜／Ｆ＜０．８０  （９）
【００３４】
ここで、Ｆ１１は正レンズＬ１１の焦点距離である。Ｆ１２は正レンズＬ１２の焦点距離である。Ｆ１３は正レンズＬ１３の焦点距離である。Ｆ１４は負レンズＬ１４の焦点距離である。Ｆは光学系Ｌ０全系の焦点距離である。Ｎｐは第２レンズ群Ｌ２に含まれる正レンズのうち最も屈折率の大きな正レンズのｄ線に対する屈折率である。Ｆ２ｐｍは第２レンズ群Ｌ２に含まれる正レンズのうち最も屈折力の大きな正レンズの焦点距離である。Ｎｎは第２レンズ群Ｌ２に含まれる負レンズのうち最も屈折率の小さな負レンズのｄ線に対する屈折率である。Ｆ２ｎｍは第２レンズ群Ｌ２に含まれる負レンズのうち負の屈折力が最も大きな負レンズ（第２レンズ群Ｌ２に含まれる負レンズのうち焦点距離の絶対値が最も小さな負レンズ）の焦点距離である。
【００３５】
なお、Ｆ２ｐｍおよびＦ２ｎｍについては、光学系Ｌ０に含まれる各レンズを単レンズとしてみたときの値を用いるものとする。
【００３６】
条件式（２）は正レンズＬ１１の焦点距離に関する。Ｆ１１／Ｆの値が条件式（２）の上限値を超える程に正レンズＬ１１の焦点距離が長くなると、第１レンズ群Ｌ１において軸上光束を十分に収斂できず、光学系を十分に小型に構成することが困難となる。Ｆ１１／Ｆの値が条件式（２）の下限値を下回るほどに正レンズＬ１１の焦点距離が短くなると、正レンズＬ１１において球面収差や色収差等の諸収差が多く発生し、光学系Ｌ０を十分に高画質化することが困難となる。
【００３７】
条件式（３）は正レンズＬ１２の焦点距離に関する。Ｆ１２／Ｆの値が条件式（３）の上限値を超える程に正レンズＬ１２の焦点距離が長くなると、第１レンズ群Ｌ１において軸上光束を十分に収斂できず、光学系を十分に小型に構成することが困難となる。Ｆ１２／Ｆの値が条件式（３）の下限値を下回るほどに正レンズＬ１２の焦点距離が短くなると、正レンズＬ１２において球面収差や色収差等の諸収差が多く発生し、光学系Ｌ０を十分に高画質化することが困難となる。
【００３８】
条件式（４）は正レンズＬ１３の焦点距離に関する。Ｆ１３／Ｆの値が条件式（４）の上限値を超える程に正レンズＬ１３の焦点距離が長くなると、第１レンズ群Ｌ１において軸上光束を十分に収斂できず、光学系を十分に小型に構成することが困難となる。Ｆ１３／Ｆの値が条件式（４）の下限値を下回るほどに正レンズＬ１３の焦点距離が短くなると、正レンズＬ１３において球面収差や色収差等の諸収差が多く発生し、光学系Ｌ０を十分に高画質化することが困難となる。
【００３９】
条件式（５）は負レンズＬ１４の焦点距離に関する。｜Ｆ１４｜／Ｆの値が条件式（５）の上限値を超える程に負レンズＬ１４の焦点距離の絶対値が大きくなると、球面収差や色収差等の諸収差を十分に補正することが難しくなり、光学系Ｌ０を十分に高画質化することが困難となる。｜Ｆ１４｜／Ｆの値が条件式（５）の下限値を下回るほどに負レンズＬ１４の焦点距離の絶対値が小さくなると、軸上光束の発散作用が大きくなりすぎ絞り径の大型化を招き、結果として光学系Ｌ０を十分に小型に構成することが困難となる。
【００４０】
条件式（６）は第２レンズ群Ｌ２に含まれる正レンズの屈折率に関する。前述のとおり、第２レンズ群Ｌ２には第１レンズ群Ｌ１において補正し切れなかった諸収差を補正する役割がある。第１レンズ群Ｌ１では各レンズ面を軸上マージナル光線が通過する高さが高いため、球面収差や軸上色収差が特に大きく発生する。そのため、第１レンズ群Ｌ１ではこれらの収差を重点的に補正するのが好ましい。一方、第１レンズ群Ｌ１で重点的に球面収差および軸上色収差を補正しようとすると、像面湾曲を十分に補正しきれない場合がある。そのため、第２レンズ群Ｌ２で像面湾曲を効果的に補正できるように第２レンズ群Ｌ２を構成とすることが望ましい。Ｎｐの値が条件式（６）の下現値を下回る場合、第２レンズ群Ｌ２において像面湾曲を十分に補正することが困難となり、光学系Ｌ０を十分に高画質化することが困難となる。
【００４１】
なお、Ｎｐの値が大きくなるほど、使用できる硝材の選択範囲が狭くなる。このため、後述する条件式（６ａ），（６ｂ）のようにＮｐの値に上限値を設けることがより好ましい。
【００４２】
条件式（７）は第２レンズ群Ｌ２に含まれる正レンズの焦点距離に関する。Ｆ２ｐｍが条件式（７）の上限値を超えると、第２レンズ群Ｌ２において軸上光束を十分に収斂できず光学系が大型化する。Ｆ２ｐｍが条件式（７）の下限値を下回ると、第２レンズ群Ｌ２において像面湾曲やコマ収差等を十分に補正することが困難となり、光学系Ｌ０を十分に高画質化することが困難となる。
【００４３】
条件式（８）は第２レンズ群に含まれる負レンズの屈折率に関する。Ｎｎが条件式（８）の上限値を超えると、第２レンズ群Ｌ２で像面湾曲等の諸収差を十分に補正することができなくなる結果、光学系Ｌ０を十分に高画質化することが困難となる。
【００４４】
なお、Ｎｎの値が小さくなるほど、使用できる硝材の選択範囲が狭くなる。このため、条件式（８ａ），（８ｂ）のようにＮｎの値に下限値を設けることがより好ましい。
【００４５】
条件式（９）は第２レンズ群Ｌ２に含まれる負レンズの焦点距離に関する。条件式（９）の上限値を超えるほどにＦ２ｎｍの絶対値が大きくなると、第２レンズ群Ｌ２においてコマ収差や像面湾曲などの諸収差を十分に補正できず光学系Ｌ０を十分に高画質化することが困難となる。条件式（９）の下限値を超える程にＦ２ｎｍの絶対値が小さくなると、第２レンズ群Ｌ２において軸上光束を十分に収斂することが困難となり、光学系Ｌ０を十分に小型化することが困難となる。
【００４６】
条件式（２）乃至（９）の数値範囲は、それぞれ以下の条件式（２ａ）乃至（９ａ）のように設定することがより好ましい。
２．９＜Ｆ１１／Ｆ＜５．０  （２ａ）
１．４＜Ｆ１２／Ｆ＜２．８  （３ａ）
０．９＜Ｆ１３／Ｆ＜１．６  （４ａ）
０．５３＜｜Ｆ１４｜／Ｆ＜０．８６  （５ａ）
１．７８＜Ｎｐ＜２．１０  （６ａ）
０．３４＜Ｆ２ｐｍ／Ｆ＜０．４９  （７ａ）
１．４０＜Ｎｎ＜１．６２  （８ａ）
０．４８＜｜Ｆ２ｎｍ｜／Ｆ＜０．７８  （９ａ）
【００４７】
また、条件式（２）乃至（９）の数値範囲は、それぞれ以下の条件式（２ｂ）乃至（９ｂ）のように設定することがさらに好ましい。
３．１＜Ｆ１１／Ｆ＜４．８  （２ｂ）
１．５＜Ｆ１２／Ｆ＜２．７  （３ｂ）
１．０＜Ｆ１３／Ｆ＜１．５  （４ｂ）
０．５５＜｜Ｆ１４｜／Ｆ＜０．８４  （５ｂ）
１．８０＜Ｎｐ＜２．００  （６ｂ）
０．３６＜Ｆ２ｐｍ／Ｆ＜０．４７  （７ｂ）
１．４５＜Ｎｎ＜１．６０  （８ｂ）
０．５１＜｜Ｆ２ｎｍ｜／Ｆ＜０．７６  （９ｂ）
【００４８】
また、各実施例において第１レンズ群Ｌ１において絞りＳＰより物体側に配置されたレンズの少なくとも１つのレンズ面を非球面とすることが好ましい。絞りＳＰより物体側のレンズを非球面とすることで球面収差を効果的に補正でき、光学系Ｌ０の高画質化が容易となる。
【００４９】
また各実施例において、物体側に凹面を向けた負レンズＬ１５を絞りＳＰの像側に隣接して配置することが好ましい。これにより、コマ収差等の諸収差を効果的に補正することできる。
【００５０】
また、光学系Ｌ０を更に高画質化するには、負レンズＬ１５の像側に、像側に凸面を向けた正レンズＬ１６を接合することが好ましい。このとき、負レンズＬ１５と正レンズＬ１６を含む接合レンズは全体として正の屈折力を有することが好ましい。絞りＳＰの像側に配置されるレンズをこのように構成することで、コマ収差や像面湾曲等の諸収差をより効果的に補正でき、光学系Ｌ０をより高画質化することができる。
【００５１】
なお、負レンズＬ１５と正レンズＬ１６を含む接合レンズにおいて、負レンズＬ１５と正レンズＬ１６の間に別の光学部材が接合されていても良い。例えば、負レンズＬ１５と正レンズＬ１６は、樹脂材料を主成分とした光学素子を負レンズＬ１５と正レンズＬ１６の間に挟んで接合されていても良い。
【００５２】
各実施例の光学系において、歪曲収差は各種公知の手法を適用して電子的に補正しても良い。
【００５３】
各実施例は、像面ＩＰと第２レンズ群Ｌ２の間にローパスフィルターやＩＲカットフィルターなどの光学部材を配置しても良い。
【００５４】
次に、各実施例におけるレンズ構成に関して説明する。
【００５５】
［実施例１］
実施例１の光学系Ｌ０は焦点距離８５．００ｍｍ、Ｆナンバー１．２４である。
【００５６】
第１レンズ群Ｌ１の絞りＳＰよりも物体側は、物体側に凸面を向けたメニスカス形状の正レンズＬ１１、物体側に凸面を向けたメニスカス形状の正レンズＬ１２、物体側に凸面を向けたメニスカス形状の正レンズＬ１３、負レンズＬ１４で構成されている。負レンズＬ１４の物体側の面は非球面である。
【００５７】
また、第１レンズ群Ｌ１の絞りＳＰよりも像側は、２つの接合レンズで構成されている。物体側の接合レンズは、両凹形状の負レンズＬ１５、物体側に凸面を向けた正メニスカス形状の光学素子、両凸形状の正レンズＬ１６を接合した接合レンズである。像側の接合レンズは、両凹形状の負レンズと両凸形状の正レンズを接合した接合レンズである。
【００５８】
第２レンズ群Ｌ２は、物体側から像側へ順に配置された、両凸形状の正レンズと両凹形状の負レンズを接合した接合レンズ、両凹形状の負レンズと両凸形状の正レンズを接合した接合レンズにより構成されている。
【００５９】
［実施例２］
実施例２の光学系Ｌ０は焦点距離８３．００ｍｍ、Ｆナンバー１．２４である。
【００６０】
第１レンズ群Ｌ１の絞りＳＰよりも物体側は、物体側に凸面を向けたメニスカス形状の正レンズＬ１１、物体側に凸面を向けたメニスカス形状の正レンズＬ１２、物体側に凸面を向けたメニスカス形状の正レンズＬ１３、負レンズＬ１４で構成されている。負レンズＬ１４の物体側の面は非球面である。
【００６１】
また、第１レンズ群Ｌ１の絞りＳＰよりも像側は、２つの接合レンズで構成されている。物体側の接合レンズは、両凹形状の負レンズＬ１５、物体側に凸面を向けた正メニスカス形状の光学素子、両凸形状の正レンズＬ１６を接合した接合レンズである。像側の接合レンズは、両凹形状の負レンズと両凸形状の正レンズを接合した接合レンズである。
【００６２】
第２レンズ群Ｌ２は、物体側から像側へ順に配置された、両凸形状の正レンズと像側に凸面を向けたメニスカス形状の負レンズを接合した接合レンズ、両凹形状の負レンズ、像側に凸面を向けたメニスカス形状の負レンズにより構成されている。
【００６３】
［実施例３］
実施例３の光学系Ｌ０は焦点距離８７．００ｍｍ、Ｆナンバー１．２４である。
【００６４】
第１レンズ群Ｌ１の絞りＳＰよりも物体側は、物体側に凸面を向けたメニスカス形状の正レンズＬ１１、物体側に凸面を向けたメニスカス形状の正レンズＬ１２、物体側に凸面を向けたメニスカス形状の正レンズＬ１３、負レンズＬ１４で構成されている。正レンズＬ１１の物体側の面は非球面である。
【００６５】
また、第１レンズ群Ｌ１の絞りＳＰよりも像側は、２つの接合レンズで構成されている。物体側の接合レンズは、両凹形状の負レンズＬ１５、物体側に凸面を向けた正メニスカス形状の光学素子、両凸形状の正レンズＬ１６を接合した接合レンズである。像側の接合レンズは、両凹形状の負レンズと両凸形状の正レンズを接合した接合レンズである。
【００６６】
第２レンズ群Ｌ２は、物体側から像側へ順に配置された、両凸形状の正レンズと両凹形状の負レンズを接合した接合レンズ、両凹形状の負レンズ、両凸形状の正レンズにより構成されている。
【００６７】
［実施例４］
実施例４の光学系Ｌ０は焦点距離８５．００ｍｍ、Ｆナンバー１．２４である。
【００６８】
第１レンズ群Ｌ１の絞りＳＰよりも物体側は、物体側に凸面を向けたメニスカス形状の正レンズＬ１１、物体側に凸面を向けたメニスカス形状の正レンズＬ１２、物体側に凸面を向けたメニスカス形状の正レンズＬ１３、負レンズＬ１４で構成されている。負レンズＬ１４の物体側の面は非球面である。
【００６９】
また、第１レンズ群Ｌ１の絞りＳＰよりも像側は、２つの接合レンズで構成されている。物体側の接合レンズは、両凹形状の負レンズＬ１５、両凸形状の正レンズＬ１６を接合した接合レンズである。像側の接合レンズは、両凹形状の負レンズと両凸形状の正レンズを接合した接合レンズである。
【００７０】
第２レンズ群Ｌ２は、物体側から像側へ順に配置された、両凸形状の正レンズと両凹形状の負レンズを接合した接合レンズ、両凹形状の負レンズと両凸形状の正レンズを接合した接合レンズにより構成されている。
【００７１】
［実施例５］
実施例５の光学系Ｌ０は焦点距離９５．００ｍｍ、Ｆナンバー１．２６である。
【００７２】
第１レンズ群Ｌ１の絞りＳＰよりも物体側は、物体側に凸面を向けたメニスカス形状の正レンズＬ１１、物体側に凸面を向けたメニスカス形状の正レンズＬ１２、物体側に凸面を向けたメニスカス形状の正レンズＬ１３、負レンズＬ１４で構成されている。負レンズＬ１４の物体側の面は非球面である。
【００７３】
また、第１レンズ群Ｌ１の絞りＳＰよりも像側は、２つの接合レンズで構成されている。物体側の接合レンズは、両凹形状の負レンズＬ１５、両凸形状の正レンズＬ１６を接合した接合レンズである。像側の接合レンズは、両凹形状の負レンズと両凸形状の正レンズを接合した接合レンズである。
【００７４】
第２レンズ群Ｌ２は、物体側から像側へ順に配置された、両凸形状の正レンズと両凹形状の負レンズを接合した接合レンズ、両凹形状の負レンズと両凸形状の正レンズを接合した接合レンズにより構成されている。
【００７５】
［実施例６］
実施例６の光学系Ｌ０は焦点距離７５．００ｍｍ、Ｆナンバー１．２４である。
【００７６】
第１レンズ群Ｌ１の絞りＳＰよりも物体側は、物体側に凸面を向けたメニスカス形状の正レンズＬ１１、物体側に凸面を向けたメニスカス形状の正レンズＬ１２、物体側に凸面を向けたメニスカス形状の正レンズＬ１３、負レンズＬ１４で構成されている。負レンズＬ１４の物体側の面は非球面である。
【００７７】
また、第１レンズ群Ｌ１の絞りＳＰよりも像側は、２つの接合レンズで構成されている。物体側の接合レンズは、両凹形状の負レンズＬ１５、両凸形状の正レンズＬ１６を接合した接合レンズである。像側の接合レンズは、両凹形状の負レンズと両凸形状の正レンズを接合した接合レンズである。
【００７８】
第２レンズ群Ｌ２は、物体側から像側へ順に配置された、両凸形状の正レンズと両凹形状の負レンズを接合した接合レンズ、像側に凸面を向けたメニスカス形状の負レンズと像側に凸面を向けたメニスカス形状の正レンズを接合した接合レンズで構成されている。
【００７９】
次に、上述した実施例１から実施例６の光学系Ｌ０に対応する数値実施例１から数値実施例６を示す。
【００８０】
各数値実施例の面データにおいて、ｒは各レンズ面の曲率半径、ｄ（ｍｍ）は第ｍ面と第（ｍ＋１）面との間の軸上間隔（光軸上の距離）を表わしている。ただし、ｍは光入射側から数えた面の番号である。また、ｎｄは各光学部材のｄ線に対する屈折率、νｄは光学部材のアッベ数を表わしている。なおアッベ数νｄとは、フラウンホーファー線のｇ線、Ｆ線、ｄ線、Ｃ線に対する屈折率をそれぞれｎｇ、ｎＦ、ｎｄ、ｎＣとするとき以下の式（Ａ）で定義される値である。
νｄ＝（ｎｄ−１）／（ｎＦ−ｎＣ）  （Ａ）
【００８１】
各数値実施例の面データにおいて、非球面形状のレンズ面については面番号の後に＊（アスタリスク）の符号を付加している。また、非球面データには各非球面の非球面係数を示している。非球面係数における「ｅ±Ｚ」は「×１０±Ｚ」を意味している。レンズ面の非球面形状は、光軸方向における面頂点からの変位量をＸ、光軸方向に垂直な方向における光軸からの高さをＨ、近軸曲率半径をＲ、円錐定数をＫ、非球面係数をＡ４，Ａ６，Ａ８，Ａ１０、Ａ１２とするとき、以下の式（１３）により表される。
【００８２】
【数１】
2019152682.tif 000003
【００８３】
なお、各数値実施例において、焦点距離（ｍｍ）、Ｆナンバー、半画角（°）は全て各実施例の光学系が無限遠に焦点を合わせた時の値である。バックフォーカスＢＦは最終レンズ面（第２レンズ群Ｌ２において最も像側のレンズ面）から像面ＩＰまでの距離である。レンズ全長は第１レンズ面から最終レンズ面までの距離にバックフォーカスを加えた値である。
【００８４】
［数値実施例１］
単位 mm
面データ
面番号       r        d      nd        νd       有効径
1         70.530    6.03   1.69680    55.5       68.60
2         99.208    0.30                         67.28
3         46.657   12.20   1.49700    81.5       65.31
4        140.163    0.30                         63.43
5         39.897   12.87   1.49700    81.5       56.03
6        141.407    0.50                         51.49
7*        75.227    2.50   1.72047    34.7       48.48
8         26.935   12.63                         39.52
9(絞り)    ∞       9.33                         37.00
10        -49.201    1.60   1.66565    35.6       32.91
11         43.010    1.00   1.60401    24.2       32.48
12         56.494    8.29   1.83481    42.7       32.47
13        -49.013    2.53                         32.15
14        -35.535    1.60   1.59270    35.3       30.53
15        100.447    5.64   1.90043    37.4       31.17
16        -69.073  (可変)                         32.35
17        165.335   12.17   1.80400    46.5       34.34
18        -33.480    2.50   1.67270    32.1       35.30
19        254.467    5.57                         35.88
20        -46.175    2.00   1.48749    70.2       36.16
21        110.287    4.95   1.90043    37.4       39.27
22       -167.036   13.31                         39.75
23(像面)    ∞
非球面データ
第7面
K = 0.00000e+000  A 4=-1.58048e-006  A 6= 6.11191e-011  A 8= 2.02073e-013
各種データ
焦点距離      85.00
Fナンバー      1.24
半画角（°）  14.28
像高          21.64
レンズ全長   119.32
BF            13.31
物体距離      無限遠    0.85m
d16            1.50      16.70
入射瞳位置    72.51
射出瞳位置   -55.40
前側主点位置  52.36
後側主点位置 -71.69
レンズ群データ
群  始面    焦点距離  レンズ構成長  前側主点位置  後側主点位置
1    1      98.80        77.32        25.26        -61.01
2   17     205.33        27.19         2.96        -15.36
単レンズデータ
レンズ  始面  焦点距離
1       1    322.35
2       3    134.88
3       5    107.31
4       7    -59.53
5      10    -34.24
6      11    290.24
7      12     32.60
8      14    -44.09
9      15     46.18
10      17     35.60
11      18    -43.83
12      20    -66.49
13      21     74.40
【００８５】
［数値実施例２］
単位 mm
面データ
面番号       r        d      nd        νd       有効径
1         86.121    5.53   1.69680    55.5       69.23
2        121.753    0.30                         67.25
3         49.386   12.60   1.49700    81.5       64.42
4        109.809    0.30                         61.17
5         39.228   13.13   1.49700    81.5       55.93
6        219.136    0.50                         52.72
7*        71.446    2.50   1.72047    34.7       48.63
8         26.788   16.94                         40.04
9(絞り)    ∞       9.33                         36.50
10        -66.103    1.60   1.66565    35.6       33.30
11         41.594    1.00   1.60401    24.2       32.98
12         53.417   10.30   1.83481    42.7       32.98
13        -52.889    1.22                         32.50
14        -39.176    1.60   1.59270    35.3       32.26
15         77.248    9.71   1.90043    37.4       31.60
16        -66.143  (可変)                         33.97
17        128.257    9.81   1.80400    46.5       35.50
18        -33.289    2.00   1.67270    32.1       35.65
19       -162.603    0.36                         35.32
20       -484.864    2.00   1.48749    70.2       35.08
21        130.368    5.08                         34.61
22        -45.257    3.00   1.90043    37.4       34.57
23       -166.614   13.50                         36.45
24(像面)    ∞
非球面データ
第7面
K = 0.00000e+000  A 4=-1.91492e-006  A 6=-2.80846e-010  A 8= 1.97914e-013
各種データ
焦点距離      83.00
Fナンバー     1.24
半画角（°）  14.61
像高          21.64
レンズ全長   123.80
BF            13.50
物体距離      無限遠     0.85m
d16            1.50      12.92
入射瞳位置    81.76
射出瞳位置   -38.20
前側主点位置  31.50
後側主点位置 -69.50
レンズ群データ
群  始面    焦点距離  レンズ構成長  前側主点位置  後側主点位置
1    1      88.54        86.55        60.07        -53.93
2   17    -319.15        22.25        54.41         33.47
単レンズデータ
レンズ  始面  焦点距離
1       1    397.02
2       3    168.89
3       5     93.87
4       7    -60.91
5      10    -38.13
6      11    301.53
7      12     33.30
8      14    -43.63
9      15     40.88
10      17     33.79
11      18    -62.61
12      20   -210.54
13      22    -69.82
【００８６】
［数値実施例３］
単位 mm
面データ
面番号       r        d      nd        νd       有効径
1*       123.907    5.80   1.69680    55.5       70.22
2        282.514    0.50                         69.56
3         46.588   13.03   1.49700    81.5       67.20
4        142.770    0.50                         65.36
5         42.000   14.00   1.49700    81.5       58.02
6        592.891    0.50                         54.48
7        201.583    2.50   1.66565    35.6       51.23
8         28.485   13.54                         40.51
9(絞り)    ∞       9.33                         37.00
10        -44.951    1.60   1.66565    35.6       32.69
11         38.698    1.00   1.60401    24.2       32.24
12         50.034    8.54   1.95375    32.3       32.24
13        -55.045    1.79                         31.75
14        -42.891    1.60   1.63980    34.5       30.38
15         35.224    8.16   1.80400    46.6       31.66
16*      -112.457  (可変)                         32.94
17        111.302    9.19   1.81600    46.6       34.98
18        -44.595    2.00   1.67270    32.1       35.50
19        117.419    4.92                         35.96
20        -80.743    2.00   1.58313    59.4       36.44
21         79.203    0.85                         38.88
22         63.004    6.44   1.88300    40.8       40.77
23       -391.644   13.50                         41.10
24(像面)     ∞
非球面データ
第1面
K = 0.00000e+000  A 4=-1.09691e-007  A 6=-4.75026e-011  A 8= 1.80169e-014  A10=-1.39805e-017
第16面
K = 0.00000e+000  A 4= 2.05426e-006  A 6=-3.50634e-009  A 8= 2.50733e-011  A10=-7.38892e-014  A12= 8.38707e-017
各種データ
焦点距離      87.00
Fナンバー     1.24
半画角（°）  13.96
像高          21.64
レンズ全長   122.80
BF            13.50
物体距離      無限遠    0.85m
d16            1.50     19.16
入射瞳位置    79.55
射出瞳位置   -57.56
前側主点位置  60.04
後側主点位置 -73.50
レンズ群データ
群  始面    焦点距離  レンズ構成長  前側主点位置  後側主点位置
1    1     104.82        82.40        17.27        -67.06
2   17     150.54        25.40         5.44        -12.09
単レンズデータ
レンズ  始面  焦点距離
1       1    312.05
2       3    133.15
3       5     90.19
4       7    -50.12
5      10    -31.00
6      11    273.69
7      12     28.62
8      14    -29.99
9      15     34.20
10      17     40.08
11      18    -47.81
12      20    -68.25
13      22     61.87
【００８７】
［数値実施例４］
単位 mm
面データ
面番号       r        d      nd        νd       有効径
1         88.805    6.04   1.69680    55.5       68.60
2        150.000    0.30                         67.59
3         48.997   10.59   1.49700    81.5       65.35
4        112.314    0.30                         63.46
5         44.793   14.92   1.49700    81.5       58.42
6        178.340    0.50                         52.12
7*        78.439    4.67   1.72047    34.7       48.93
8         27.087   12.25                         38.93
9(絞り)    ∞       9.33                         37.00
10        -64.767    1.60   1.66565    35.6       33.56
11         90.627    8.98   1.83481    42.7       33.25
12        -61.973    2.16                         32.79
13        -34.695    1.60   1.59270    35.3       32.58
14        103.606    6.42   1.90043    37.4       32.76
15        -52.401  (可変)                         32.68
16        143.075   13.75   1.80400    46.5       34.94
17        -36.574    2.50   1.67270    32.1       35.80
18        213.011    7.26                         36.02
19        -46.532    2.00   1.48749    70.2       36.47
20        934.103    3.70   1.90043    37.4       38.73
21       -129.514   13.00                         39.31
22(像面)    ∞
非球面データ
第7面
K = 0.00000e+000  A 4=-1.32313e-006  A 6=-3.85588e-011  A 8= 1.21051e-013
各種データ
焦点距離      85.00
Fナンバー      1.24
半画角(°)     14.28
像高          21.64
レンズ全長   123.80
BF            13.00
物体距離      無限遠    0.85m
d15            1.93     16.72
入射瞳位置    74.69
射出瞳位置   -54.92
前側主点位置  53.31
後側主点位置 -72.00
レンズ群データ
群  始面    焦点距離  レンズ構成長  前側主点位置  後側主点位置
1    1      98.17        79.66        38.30        -57.54
2   16     296.17        29.21        -7.18        -26.72
単レンズデータ
レンズ  始面  焦点距離
1       1    300.24
2       3    165.68
3       5    116.05
4       7    -59.70
5      10    -56.51
6      11     45.30
7      13    -43.66
8      14     39.42
9      16     37.51
10      17    -46.22
11      19    -90.86
12      20    126.53
【００８８】
［数値実施例５］
単位 mm
面データ
面番号       r        d      nd        νd       有効径
1         89.548    8.89   1.69680    55.5       76.67
2        150.000    0.30                         74.78
3         56.578   14.91   1.49700    81.5       72.31
4        243.034    0.30                         69.28
5         49.543   13.26   1.49700    81.5       61.42
6        153.368    0.50                         55.63
7*       113.690   10.00   1.72047    34.7       54.13
8         28.623   11.65                         38.96
9(絞り)    ∞       9.33                         36.76
10        -66.946    3.00   1.66565    35.6       32.74
11         82.011   10.14   1.83481    42.7       32.03
12        -67.090    1.88                         31.14
13        -36.739    2.00   1.59270    35.3       30.92
14         91.601    7.47   1.90043    37.4       32.80
15        -60.606  (可変)                         34.54
16        129.962   10.12   1.80400    46.5       36.78
17        -34.529    2.50   1.67270    32.1       37.11
18        249.829    5.85                         37.17
19        -40.287    4.00   1.48749    70.2       37.23
20        591.791    7.21   1.90043    37.4       40.85
21        -78.638   13.00                         42.04
22(像面)     ∞
非球面データ
第7面
K = 0.00000e+000  A 4=-6.69904e-007  A 6= 1.03850e-010  A 8= 1.67742e-014
各種データ
焦点距離      95.00
Fナンバー      1.26
半画角（°）   12.83
像高          21.64
レンズ全長   137.80
BF            13.00
物体距離      無限遠    0.85m
d15            1.50     22.92
入射瞳位置    96.46
射出瞳位置   -82.91
前側主点位置  97.36
後側主点位置 -82.00
レンズ群データ
群  始面    焦点距離  レンズ構成長  前側主点位置  後側主点位置
1    1     114.37        93.62        34.22        -74.13
2   16     131.69        29.68        11.89         -9.30
単レンズデータ
レンズ  始面  焦点距離
1       1    300.73
2       3    144.54
3       5    141.26
4       7    -55.85
5      10    -54.93
6      11     45.62
7      13    -43.99
8      14     41.47
9      16     34.89
10      17    -44.94
11      19    -77.21
12      20     77.48
【００８９】
［数値実施例６］
単位 mm
面データ
面番号       r        d      nd        νd       有効径
1         88.579    5.34   1.69680    55.5       60.53
2        150.000    0.30                         59.65
3         48.429    7.61   1.49700    81.5       58.13
4         89.659    0.30                         56.61
5         44.116   13.84   1.49700    81.5       53.78
6        228.633    2.69                         48.57
7*        76.551    2.50   1.72047    34.7       43.40
8         27.773   11.17                         37.26
9(絞り)    ∞       9.33                         36.00
10        -71.359    1.60   1.66565    35.6       33.70
11         73.422    7.70   1.83481    42.7       33.76
12        -57.245    1.84                         33.65
13        -36.432    1.60   1.59270    35.3       33.46
14         88.515    6.90   1.90043    37.4       33.73
15        -52.307  (可変)                         33.64
16        138.539   13.58   1.80400    46.5       34.11
17        -31.345    2.50   1.67270    32.1       34.73
18        200.147    7.46                         34.64
19        -37.384    2.00   1.48749    70.2       34.88
20       -264.397    3.00   1.90043    37.4       37.15
21       -120.389   13.00                         37.89
22(像面)    ∞
非球面データ
第7面
K = 0.00000e+000  A 4=-2.22400e-006  A 6=-1.46774e-010  A 8= 5.18253e-014
各種データ
焦点距離      75.00
Fナンバー      1.24
半画角（°）   16.09
像高          21.64
レンズ全長   115.75
BF            13.00
物体距離      無限遠   0.85m
d15            1.50     11.51
入射瞳位置    61.56
射出瞳位置   -46.07
前側主点位置  41.33
後側主点位置 -62.00
レンズ群データ
群  始面    焦点距離  レンズ構成長  前側主点位置  後側主点位置
1    1      83.00        72.71        46.80        -43.66
2   16     2466.71        28.53      -225.16       -224.66
単レンズデータ
レンズ  始面  焦点距離
1       1    299.76
2       3    199.67
3       5    107.31
4       7    -61.82
5      10    -54.13
6      11     39.59
7      13    -43.34
8      14     37.38
9      16     32.97
10      17    -40.11
11      19    -89.57
12      20    243.07
【００９０】
各数値実施例における種々の数値を表１にまとめて示す。
【００９１】
【表１】
2019152682.tif 000004
【００９２】
［撮像装置］
図１３は、本発明の一実施形態としての撮像装置（デジタルスチルカメラ）１００の概略図である。本実施形態の撮像装置１００は、カメラ本体７０と、上述した実施例１から６のいずれかの光学系と同様である光学系７１と、光学系７１によって形成される像を光電変換する撮像素子７２を備える。受光素子７２としては、ＣＣＤセンサやＣＭＯＳセンサ等の撮像素子を用いることができる。
【００９３】
本実施形態の撮像装置１００は、実施例１から６のいずれかの光学系と同様である光学系７１を有するため、小型でありながら高画質な画像を得ることができる。
【００９４】
なお、上述した各実施例の光学系は、図１３に示したデジタルスチルカメラに限らず、銀塩フィルム用カメラやビデオカメラ、望遠鏡等の種々の光学機器に適用することができる。
【００９５】
以上、本発明の好ましい実施形態及び実施例について説明したが、本発明はこれらの実施形態及び実施例に限定されず、その要旨の範囲内で種々の組合せ、変形及び変更が可能である。
【符号の説明】
【００９６】
Ｌ０  光学系
Ｌ１  第１レンズ群
Ｌ２  第２レンズ群
Ｌ１１  正レンズＬ１１
Ｌ１２  正レンズＬ１２
Ｌ１３  正レンズＬ１３
Ｌ１４  負レンズＬ１４
ＳＰ  絞り
【図１】
2019152682.tif 000005
【図２】
2019152682.tif 000006
【図３】
2019152682.tif 000007
【図４】
2019152682.tif 000008
【図５】
2019152682.tif 000009
【図６】
2019152682.tif 000010
【図７】
2019152682.tif 000011
【図８】
2019152682.tif 000012
【図９】
2019152682.tif 000013
【図１０】
2019152682.tif 000014
【図１１】
2019152682.tif 000015
【図１２】
2019152682.tif 000016
【図１３】
2019152682.tif 000017